(57)【要約】【課題】便蓋を簡単に上下方向に着脱可能としつつ、使用者が便蓋に凭れかかった場合においても、便蓋が本体部から落下することを抑制できる便座装置を提供する。【解決手段】便座装置は、便器の上に設置される本体部と、本体部に回転可能に軸支された便座と、本体部に回転可能に軸支された便蓋とを備えている。本体部は、便蓋を回転させるための回転軸を有している。便蓋は、弾性変形することで回転軸に対して係脱可能なフック部を有しており、フック部は、便蓋を起立させた状態で上下方向に移動させることで、回転軸に対して係脱可能に構成されている。本体部および便蓋には、便蓋が全開角度以上に開かないように規制する全開ストッパが設けられている。全開ストッパは、便蓋を全開角度以上に開こうとする水平方向の力が働いた場合に、便蓋に上側方向の力が働くことを低減するように構成されている。【選択図】図４
2020103507.tif 000002
【特許請求の範囲】
【請求項１】
便器の上に設置される本体部と、
前記本体部に回転可能に軸支された便座と、
前記本体部に回転可能に軸支された便蓋と、を備えた便座装置であって、
前記本体部は、前記便蓋を回転させるための回転軸を有しており、
前記便蓋は、弾性変形することで前記回転軸に対して係脱可能なフック部を有しており、
前記フック部は、前記便蓋を起立させた状態で上下方向に移動させることで、前記回転軸に対して係脱可能に構成されており、
前記本体部および前記便蓋には、前記便蓋が全開角度以上に開かないように規制する全開ストッパが設けられており、
前記全開ストッパは、前記便蓋を前記全開角度以上に開こうとする水平方向の力が働いた場合に、前記便蓋に上側方向の力が働くことを低減するように構成されていることを特徴とする便座装置。
【請求項２】
前記全開ストッパは、前記本体部に設けられ前記便蓋を前記全開角度以上に開こうとした場合に、前記便蓋と当接する第１当接部と、前記便蓋に設けられ前記第１当接部と当接する第２当接部とを有し、
前記本体部の前記第１当接部は、垂直面で形成されていることを特徴とする請求項１に記載の便座装置。
【請求項３】
前記全開ストッパは、前記本体部に設けられ前記便蓋を前記全開角度以上に開こうとした場合に、前記便蓋と当接する第１当接部と、前記便蓋に設けられ前記第１当接部と当接する第２当接部とを有し、
前記便蓋の前記第２当接部は、前記便蓋を前記全開角度に開いた場合に、垂直面となるように形成されていることを特徴とする請求項１または２に記載の便座装置。
【請求項４】
前記第１当接部と前記第２当接部とは、前記回転軸と前記フック部とが設けられたヒンジ部の内部に設けられていることを特徴とする請求項２または３に記載の便座装置。
【請求項５】
前記便蓋の前記第２当接部は、前記本体部の前記第１当接部よりも、剛性の大きい材質で形成されていることを特徴とする請求項２〜４のいずれか１項に記載の便座装置。
【請求項６】
前記便蓋は、前記フック部を弾性変形させて前記回転軸に対して係脱させる場合に、前記フック部の開度を規制するフックストッパを有していることを特徴とする請求項１〜５のいずれか１項に記載の便座装置。
【請求項７】
前記回転軸は、前記フック部を係合させる場合に必要とする力が、前記フック部の係合を外す場合に必要とする力よりも小さくなるように、上部と下部の形状が異なるように形成されていることを特徴とする請求項１〜６のいずれか１項に記載の便座装置。
【請求項８】
前記フック部は、前記回転軸に係合させる場合に前記回転軸が押圧する第１押圧面と、前記第１押圧面の端部から屈曲して前記回転軸との係合を外す場合に前記回転軸が押圧する第２押圧面とを有し、
前記便蓋が前記全開角度に開いている場合に、前記第１押圧面の前記端部を通る鉛直線に対する前記第１押圧面の傾斜角度は、前記鉛直線に対する前記第２押圧面の傾斜角度よりも小さくなっていることを特徴とする請求項１〜７のいずれか１項に記載の便座装置。
【発明の詳細な説明】
【技術分野】
【０００１】
本発明は、一般的に、便座および便蓋が開閉可能な便座装置に関する。
【背景技術】
【０００２】
一般的に便座装置は、便器の上に設置された本体部と、本体部に回転可能に軸支された便座と、本体部に回転可能に軸支された便蓋とを備えている。このような便座装置は、便蓋を交換したり、清掃したりするために、便蓋を本体部から取外せるようになっている。特許文献１には、便蓋を取外すために、レバーを操作したまま便蓋の一側を上方に持ち上げることで一側のヒンジを外し、さらに便蓋の他側を横方向に移動させて他側のヒンジを外す便蓋着脱機構が開示されている。また、特許文献２には、便蓋を起立させた状態で上下方向に移動させることのみにより、便蓋を着脱する便蓋着脱機構が開示されている。この特許文献２による便蓋着脱機構は、簡単に便蓋を着脱できるという利点がある。
【先行技術文献】
【特許文献】
【０００３】
【特許文献１】特許第５３５４３４７号公報
【特許文献２】特開２００１−２５４４９号公報
【発明の概要】
【発明が解決しようとする課題】
【０００４】
ところで、特許文献１による便蓋着脱機構は、着脱操作が複雑であり、簡単に便蓋を着脱できないという問題がある。また、特許文献２による便蓋着脱機構は、使用者が便座に着座した状態で便蓋に凭れかかった場合（便蓋の逆反り時）に、便蓋に加わった水平方向の力が上側方向に変換されて便蓋が浮くことになり、便蓋が不意に外れて落下する虞がある。
【０００５】
本発明はかかる課題の認識に基づいてなされたものであり、便蓋を上下方向に移動させることのみにより便蓋を簡単に着脱可能でき、使用者が便蓋に凭れかかった場合においても、便蓋が本体部から外れることを抑制できる便座装置を提供することを目的とする。
【課題を解決するための手段】
【０００６】
第１の発明は、便器の上に設置される本体部と、前記本体部に回転可能に軸支された便座と、前記本体部に回転可能に軸支された便蓋と、を備えた便座装置であって、前記本体部は、前記便蓋を回転させるための回転軸を有しており、前記便蓋は、弾性変形することで前記回転軸に対して係脱可能なフック部を有しており、前記フック部は、前記便蓋を起立させた状態で上下方向に移動させることで、前記回転軸に対して係脱可能に構成されており、前記本体部および前記便蓋には、前記便蓋が全開角度以上に開かないように規制する全開ストッパが設けられており、前記全開ストッパは、前記便蓋を前記全開角度以上に開こうとする水平方向の力が働いた場合に、前記便蓋に上側方向の力が働くことを低減するように構成されていることを特徴とする便座装置である。
【０００７】
この便座装置によれば、全開ストッパー部が便蓋に加わった水平方向の力を上側方向に変換しないように構成されているため、便蓋が浮いて便蓋が不意に外れて落下することを抑制できる。これにより、便蓋を簡単に上下方向に着脱可能としつつ、使用者が便蓋に凭れかかった場合においても、便蓋が本体部から落下することを抑制できる。
【０００８】
第２の発明は、第１の発明において、前記全開ストッパは、前記本体部に設けられ前記便蓋を前記全開角度以上に開こうとした場合に、前記便蓋と当接する第１当接部と、前記便蓋に設けられ前記第１当接部と当接する第２当接部とを有し、前記本体部の前記第１当接部は、垂直面で形成されていることを特徴とする便座装置である。
【０００９】
この便座装置によれば、便蓋部と本体部との当接部のうち、本体部の第１当接部が垂直面で形成されているため、便蓋に加わった水平方向の力を上側方向に変換しないようにできる。従って、使用者が便蓋に凭れかかった場合においても、便蓋が本体部から落下することを抑制できる。
【００１０】
第３の発明は、第１または第２の発明において、前記全開ストッパは、前記本体部に設けられ前記便蓋を前記全開角度以上に開こうとした場合に、前記便蓋と当接する第１当接部と、前記便蓋に設けられ前記第１当接部と当接する第２当接部とを有し、前記便蓋の前記第２当接部は、前記便蓋を前記全開角度に開いた場合に、垂直面となるように形成されていることを特徴とする便座装置である。
【００１１】
この便座装置によれば、便蓋部と本体部との当接部のうち、便蓋の第２当接部が便蓋を全開角度に開いた場合に、垂直面で形成されているため、便蓋に加わった水平方向の力を上側方向に変換しないようにできる。従って、使用者が便蓋に凭れかかった場合においても、便蓋が本体部から落下することを抑制できる。
【００１２】
第４の発明は、第２または第３の発明において、前記第１当接部と前記第２当接部とは、前記回転軸と前記フック部とが設けられたヒンジ部の内部に設けられていることを特徴とする便座装置である。
【００１３】
この便座装置によれば、第１当接部と第２当接部とがヒンジ部の内部に設けられているため、外観のデザイン自由度を高めることができる。また、第１当接部と第２当接部とに大きな力が加わり、塗装が剥がれたり、傷が付いた場合であっても、第１当接部と第２当接部とがヒンジ部の内部に設けられているので、外観デザインを悪化させることを低減できる。
【００１４】
第５の発明は、第２〜第４のいずれか１つの発明において、前記便蓋の前記第２当接部は、前記本体部の前記第１当接部よりも、剛性の大きい材質で形成されていることを特徴とする便座装置である。
【００１５】
この便座装置によれば、全開ストッパーにより便蓋を上側に浮かなくした場合には、便蓋の第２当接部に力が集中して便蓋の第２当接部に大きな力が加わることになる。しかし、便蓋の第２当接部の剛性を大きくしたので、全開ストッパにより便蓋を上側に浮かなくした場合であっても便蓋が破損することを抑制できる。
【００１６】
第６の発明は、第１〜第５のいずれか１つの発明において、前記便蓋は、前記フック部を弾性変形させて前記回転軸に対して係脱させる場合に、前記フック部の開度を規制するフックストッパを有していることを特徴とする便座装置である。
【００１７】
この便座装置によれば、本体部に対して便蓋を着脱するときに、フック部が過剰に開いて破損することを抑制できる。
【００１８】
第７の発明は、第１〜第６のいずれか１つの発明において、前記回転軸は、前記フック部を係合させる場合に必要とする力が、前記フック部の係合を外す場合に必要とする力よりも小さくなるように、上部と下部の形状が異なるように形成されていることを特徴とする便座装置である。
【００１９】
この便座装置によれば、便蓋を本体部に取付けるときには、小さな力で楽に取付けることができる。一方、便蓋を本体部から取外すときには、大きな力でないと外れないようになっている。これにより、使用者が便蓋に凭れかかった場合においても、便蓋が不意に落下することをより確実に抑制できる。
【００２０】
第８の発明は、第１〜第７のいずれか１つの発明において、前記フック部は、前記回転軸に係合させる場合に前記回転軸が押圧する第１押圧面と、前記第１押圧面の端部から屈曲して前記回転軸との係合を外す場合に前記回転軸が押圧する第２押圧面とを有し、前記便蓋が前記全開角度に開いている場合に、前記第１押圧面の前記端部を通る鉛直線に対する前記第１押圧面の傾斜角度は、前記鉛直線に対する前記第２押圧面の傾斜角度よりも小さくなっていることを特徴とする便座装置である。
【００２１】
この便座装置によれば、便蓋を本体部に取付けるときには、第１押圧面の回転軸に対する抵抗が小さいので、回転軸をフック部の内部に小さな力で楽に挿入させることができる。一方、便蓋を本体部から取外すときには、第２押圧面の回転軸に対する抵抗が大きいので、大きな力でないと外れないようになっている。これにより、使用者が便蓋に凭れかかった場合においても、便蓋が不意に落下することをより確実に抑制できる。
【発明の効果】
【００２２】
本発明の態様によれば、便蓋を簡単に上下方向に着脱可能としつつ、使用者が便蓋に凭れかかった場合においても、便蓋が本体部から落下することを抑制できる便座装置が提供される。
【図面の簡単な説明】
【００２３】
【図１】本発明の実施形態によるトイレ装置を示す斜視図である。
【図２】図１中の便器から便座装置を取外した状態を示す斜視図である。
【図３】本体部と便蓋とのヒンジ部を示す断面図である。
【図４】図３中のヒンジ部を矢示Ａ−Ａ方向からみた断面図である。
【図５】図３中のヒンジ部を矢示Ｂ−Ｂ方向からみた断面図である。
【図６】図３中のヒンジ部を矢示Ｃ−Ｃ方向からみた断面図である。
【図７】図３中のヒンジ部を矢示Ｄ−Ｄ方向からみた断面図である。
【図８】便蓋を本体部に取付ける状態を示す断面図である。
【図９】本体部の右側の便蓋取付部を拡大して示す斜視図である。
【図１０】便蓋の右側の回動部を拡大して示す斜視図である。
【図１１】フック部を単体で示す拡大正面図である。
【図１２】本発明の変形例による回転軸を示す正面図である。
【発明を実施するための形態】
【００２４】
以下、本発明の実施形態について図面を参照しつつ説明する。なお、各図面中、同様の構成要素には同一の符号を付して詳細な説明は適宜省略する。
図１は、本発明の実施形態によるトイレ装置である。
以下の実施形態の説明では、「上側」、「下側」、「前側」、「後側」、「右側」、および「左側」を用いるが、これらの方向は、図１に示すように、便座３０に座った使用者から見た方向である。
【００２５】
図１に示すように、トイレ装置１は、洋式腰掛便器（以下説明の便宜上、単に「便器」と称する）２と、便器２の上側に設けられた便座装置１０とを備える。便器２は、下方に向けて窪んだボウル部２ａを有する。便器２は、ボウル部２ａにおいて使用者の尿や便などの排泄物を受ける。
【００２６】
図２は、図１中の便器から便座装置を取外した状態を示す斜視図である。
図３は、本体部と便蓋とのヒンジ部を示す断面図である。
図４は、図３中のヒンジ部を矢示Ａ−Ａ方向からみた断面図である。
図５は、図３中のヒンジ部を矢示Ｂ−Ｂ方向からみた断面図である。
図６は、図３中のヒンジ部を矢示Ｃ−Ｃ方向からみた断面図である。
図７は、図３中のヒンジ部を矢示Ｄ−Ｄ方向からみた断面図である。
図８は、便蓋を本体部に取付ける状態を示す断面図である。
図９は、本体部の右側の便蓋取付部を拡大して示す斜視図である。
図１０は、便蓋の右側の回動部を拡大して示す斜視図である。
図１１は、フック部を単体で示す拡大正面図である。
【００２７】
便座装置１０は、便器２の上に設置される本体部２０と、本体部２０に回転可能に軸支された便座３０と、本体部２０に回転可能に軸支された便蓋４０とを備えている。具体的には、便座装置１０の本体部２０は、便器２のボウル部２ａよりも後方の上側に設置されている。本体部２０は、後端側で便蓋４０を開閉可能に軸支し、便蓋４０よりも前側で便座３０を開閉可能に軸支している。
【００２８】
本体部２０は、内部が空洞のボックス状に形成され、便座３０と便蓋４０との開閉動作を制御する開閉ユニット、便座３０の温度を制御する便座暖房ユニット、人体局部の洗浄を行う洗浄ユニット、臭気成分を低減する脱臭ユニット、およびリモコン等の操作部と通信可能な通信ユニット等（いずれも図示せず）が必要に応じて内蔵されている。
【００２９】
本体部２０の上面２０ａには、前端側の左右両端に便座３０を回転可能に取付けるための便座取付部２１が設けられている。また、本体部２０の上面２０ａには、各便座取付部２１の後側に便蓋４０を取付けるための便蓋取付部２２がそれぞれ設けられている。便蓋取付部２２には、便蓋４０の回動部４２が取付けられる。便蓋取付部２２と回動部４２とは、本体部２０に対して便蓋４０を開閉させるヒンジ部を構成している。右側に位置する便蓋取付部２２と左側に位置する便蓋取付部２２とは、同様の構成となっているので、以下右側の便蓋取付部２２について説明し、左側の便蓋取付部２２についてはその説明を省略する。
【００３０】
図８に示すように、便蓋取付部２２は、本体部２０の側面２０ｂから左方向に窪んで形成されている。便蓋取付部２２は、上方が開口した開口部２２ａとなり、上下方向の底部２２ｂが前後方向に延びる半円形状の湾曲面となっている。すなわち、底部２２ｂは、本体部２０の上面２０ａから凹状に湾曲している。そして、便蓋取付部２２の側面部２２ｃには、中央部に上下方向に延びる規制部材２３が突出して設けられている。
【００３１】
規制部材２３は、便蓋４０が全開角度に開いているとき（すなわち、起立しているとき）に、便蓋４０が本体部２０から取外されるのを許可し、それ以外の角度のときには便蓋４０が本体部２０から取外されるのを規制するものである。具体的には、図５に示すように、規制部材２３の前後方向の幅寸法Ｌ１は、便蓋４０（回動部４２）の出入口４４ｂの開口寸法Ｌ３よりも小さく形成されている。一方、規制部材２３の高さ寸法Ｌ２は、便蓋４０の出入口４４ｂの開口寸法Ｌ３よりも大きく形成されている。これにより、便蓋４０が全開角度に開いているときには、規制部材２３が便蓋４０の出入口４４ｂを通過することが可能となっており、便蓋４０が全開角度に開いていないときには、規制部材２３が便蓋４０の第２挿通部４４の出入口４４ｂを通過できないようになっている。
【００３２】
規制部材２３は、前後面２３ａが上端側に延びるに従って縮径するテーパ面となっている。すなわち、規制部材２３は、上端側が先細りした形状となっている。これにより、便蓋４０の回動部４２を本体部２０の便蓋取付部２２に取付けるときに、規制部材２３の前後面２３ａが回動部４２を案内して、便蓋４０を本体部２０に取付けやすくしている。そして、規制部材２３の中央部には、回転軸２４が右側に向けて突出している。
【００３３】
回転軸２４は、本体部２０の内部を左右方向に延びている。回転軸２４は、本体部２０の内部で図示しないモータに接続されている。この回転軸２４は、便蓋４０に設けられたフック部４７と係合して、便蓋４０を便座３０上に閉じた位置と起立した位置との間で回転させるためのものである。回転軸２４は、例えば樹脂材料により、小判型（楕円型）に形成されている。
【００３４】
次に、本体部２０の便蓋取付部２２に設けられた第１当接部２５について説明する。
【００３５】
第１当接部２５は、規制部材２３と便蓋取付部２２の底部２２ｂとの間に位置して、便蓋取付部２２の側面部２２ｃから突出して設けられている。すなわち、第１当接部２５は、便蓋取付部２２の内部に設けられている。第１当接部２５は、便蓋４０の回動部４２に設けられた第２当接部４５と共に本発明の全開ストッパを構成している。第１当接部２５は、上端側が規制部材２３の後端側に接続され、下端側が底部２２ｂに接続されている。第１当接部２５は、便蓋４０の第２当接部４５と当接することにより、便蓋４０が全開角度以上に開くのを規制するものである。
【００３６】
図４〜図６、図９に示すように、第１当接部２５の後面２５ａは、便蓋４０の第２当接部４５が当接する当接面となっており、平坦な垂直面で形成されている。図４に示すように、例えば便座３０に着座した使用者が便蓋４０に凭れて、便蓋４０に後方の力Ｆ１が働いた場合には、便蓋４０には第１当接部２５の後面２５ａから反力Ｆ２が働く。
【００３７】
この反力Ｆ２は、後面２５ａが垂直面となっているので、水平方向（前後方向）に作用する。すなわち、後面２５ａが垂直面となっているので、反力Ｆ２による便蓋４０を上方に持上げる分力を可及的に小さくしている。これにより、使用者が便蓋４０に凭れかかっても、便蓋４０が本体部２０から不意に外れるのを抑制することができる。第１当接部２５の後面２５ａは、厳密に垂直面として形成されている場合に限らず、反力Ｆ２による便蓋４０を上方に持上げる分力が、回転軸２４とフック部４７との係合を解除する力よりも小さければ若干傾斜していてもよい。後面２５ａの傾斜度合いは、フック部４７の弾性力、回転軸２４の形状等により、例えば実験、計算、シミュレーション等により定めることができる。
【００３８】
また、第１当接部２５には、前方に向けて突出するリブ２５ｂが設けられている。このリブ２５ｂは、第２当接部４５から受ける力により第１当接部２５が変形するのを抑制する補強部となっている。
【００３９】
便蓋４０は、本体部２０の便蓋取付部２２に回転可能に軸支されている。図１、図２に示すように、便蓋４０は、便座３０を覆う平板状の蓋部４１と、蓋部４１の下端側の左右両端に設けられた回動部４２とを備えている。右側に位置する回動部４２と左側に位置する回動部４２とは、同様の構成となっているので、以下右側の回動部４２について説明し、左側の回動部４２についてはその説明を省略する。
【００４０】
回動部４２は、本体部２０の便蓋取付部２２に対応する位置で、蓋部４１から突出して設けられている。この回動部４２は、便蓋取付部２２と共に本発明のヒンジ部を構成している。回動部４２は、下端側が開口して、右側が閉塞された有底円筒状に形成されている。回動部４２は、外周側が便蓋取付部２２の底部２２ｂに沿った円弧面４２ａとなり、内部が複数の段付状に形成されている。そして、回動部４２は、内部に回転軸２４が挿通される第１挿通部４３と、第１挿通部４３から左側（便蓋取付部２２の側面部２２ｃ側）に向けて突出し、内部に規制部材２３が挿通される第２挿通部４４と、第１挿通部４３と第２挿通部４４との間に設けられたフックストッパ４６とを含んで構成されている。
【００４１】
第１挿通部４３は、便蓋４０を本体部２０に取付けるときに、回転軸２４を内部に導きやすいように下端４３ａ側が幅広に開口している。また、第１挿通部４３の内部は、上端側が回転軸２４の形状に対応して形成されている。そして、第１挿通部４３の側面４３ｂには、フック部４７が取付けられている。
【００４２】
第２挿通部４４は、第１挿通部４３の径方向外側から便蓋取付部２２の側面部２２ｃ側に突出している。第２挿通部４４の前端側には、右側（第１挿通部４３側〉に向けて切欠かれた切欠き４４ａが形成されている。この切欠き４４ａは、便蓋４０を閉めたときに便蓋取付部２２の第１当接部２５に接触するのを回避するためのものである。
【００４３】
一方、第２挿通部４４の後端側の下端部は、第１当接部２５と当接する第２当接部４５となっている。この第２当接部４５は、第１当接部２５と共に本発明の全開ストッパを構成している。第２当接部４５の内側面４５ａは、第１当接部２５の後面２５ａが当接する当接面となっており、便蓋４０を全開角度に開いた場合に垂直面となるように形成されている。これにより、便蓋４０を全開角度に開いたときには、第１当接部２５の後面２５ａと第２当接部４５の内側面４５ａとが垂直状態で面接触することになる。従って、図４に示すように、第２当接部４５が第１当接部２５から受ける反力Ｆ２を水平方向に作用させることができ、上側方向への分力を可及的に低減して便蓋４０が本体部２０から外れるのを抑制することができる。
【００４４】
第２当接部４５は、第１当接部２５よりも剛性の大きい材料で形成されている。一例を挙げると、第２当接部４５ないし便蓋４０は、例えば樹脂材料のうち硬度が高いユリア樹脂を用いることができる。これにより、便蓋４０を開いたときに、第２当接部４５が第１当接部２５に接触したときの衝撃および使用者が便蓋４０に凭れかかったときの衝撃で第２当接部４５が変形するのを抑制することができる。そして、第２挿通部４４の下端には、切欠き４４ａの先端（下端）と内側面４５ａとの間に寸法Ｌ３の出入口４４ｂが形成されている。
【００４５】
フックストッパ４６は、第１挿通部４３と第２挿通部４４との間に形成されている。このフックストッパ４６は、フック部４７の外周側に隙間Ｓをもって第１挿通部４３の側面４３ｂから突出している。フックストッパ４６は、フック部４７を弾性変形させて回転軸２４に対して係脱させる場合に、フック部４７の開度を規制するものである。すなわち、フックストッパ４６は、フック部４７の開方向に位置して、回転軸２４がフック部４７を必要以上に押し広げるのを抑制している。
【００４６】
フック部４７は、回動部４２内に位置して第１挿通部４３の側面４３ｂにねじ４８により固定されている。このフック部４７は、弾性変形することで回転軸２４に対して係脱可能となっている。具体的には、フック部４７は、便蓋４０を起立させた状態で上下方向に移動させることで、回転軸２４に対して係脱可能に構成されている。フック部４７の内側は、回転軸２４の形状に対応するように形成され、回転軸２４の回転力は第１挿通部４３を介して回動部４２に伝わるようになっている。
【００４７】
図１１に示すように、フック部４７は、上端側に位置する取付部４７ａと、取付部４７ａから下方に向けて二股状に延びる延出部４７ｂとを有している。延出部４７ｂの下端側には、回転軸２４に係合させる場合に回転軸２４が押圧する第１押圧面４７ｃと、第１押圧面４７ｃの端部４７１から屈曲して回転軸２４との係合を外す場合に回転軸２４が押圧する第２押圧面４７ｄとを有している。
【００４８】
そして、便蓋４０が全開角度に開いている場合に、第１押圧面４７ｃの端部４７１を通る鉛直線Ｏ−Ｏに対する第１押圧面４７ｃの傾斜角度αは、鉛直線Ｏ−Ｏに対する第２押圧面４７ｄの傾斜角度βよりも小さくなっている。すなわち、第１押圧面４７ｃは、端部４７１から外側に向けて鉛直方向（上下方向）に立つように傾斜して延びている。一方、第２押圧面４７ｄは、端部４７１から外側に向けて水平方向に寝るように傾斜して延びている。
【００４９】
これにより、フック部４７を回転軸２４に係合させるときには、第１押圧面４７ｃの回転軸２４に対する抵抗が小さいので、回転軸２４をフック部４７の内部に小さな力で楽に挿入させることができる。一方、フック部４７を回転軸２４から外すときには、第２押圧面４７ｄの回転軸２４に対する抵抗が大きいので、大きな力でないと外れないようになっている。これにより、使用者が便蓋４０に凭れかかった場合においても、便蓋４０が不意に落下することを抑制している。
【００５０】
また、回動部４２の左右方向の外面側には、便座装置１０の意匠性を向上せせる加飾パネル４９が取付けられている。
【００５１】
本実施形態による便座装置１０は、上述の如き構成を有するもので、次に便座装置１０の着脱について説明する。
【００５２】
まず、便蓋４０を本体部２０に取付けるときには、便蓋４０を起立させた状態で便蓋４０の回動部４２を本体部２０の便蓋取付部２２に差込む。この場合、回動部４２の出入口４４ｂから本体部２０の規制部材２３を挿入させる。規制部材２３の前後面２３ａは、上端側がテーパ面となっているので、規制部材２３を回動部４２内に導きやすくなっている。また、図７、図１０に示すように、回転軸２４は、回動部４２の第１挿通部４３の下端４３ａが幅広に開口しているので、回転軸２４を適切な姿勢状態でフック部４７の第１押圧面４７ｃに導きやすくなっている。
【００５３】
そして、便蓋４０をさらに差込んでいくと、回転軸２４がフック部４７の第１押圧面４７ｃを押圧しながら、フック部４７の内側に挿入される。この場合、図１１に示すように、フック部４７は、第１押圧面４７ｃが鉛直方向に立つような傾斜面となっている。従って、便蓋４０を本体部２０に差込むときに、小さい力で簡単にフック部４７を押し広げることができる。
【００５４】
また、図８に示すように、回転軸２４がフック部４７を押し広げているときには、フック部４７は、延出部４７ｂがフックストッパ４６により、それ以上の開きが規制されている。これにより、例えば便蓋４０を本体部２０に差込んでいるときに、手元がぐらついてフック部４７に過剰な力がかかったとしても、フック部４７が変形するのを抑制することができる。従って、フック部４７の寿命を向上させることができる。そして、回転軸２４がフック部４７内に挿入されると、弾性力によりフック部４７の延出部４７ｂが閉じて、回転軸２４と回動部４２とを一体的に係合させることができる。これにより、便蓋４０を本体部２０に取付けることができる。
【００５５】
次に、便蓋４０を本体部２０から取外すときには、便蓋４０を起立させた状態で便蓋４０を上方に引上げる。この場合、回転軸２４は、フック部４７の第２押圧面４７ｄを押圧しながら、フック部４７から抜出る。図１１に示すように、フック部４７の第２押圧面４７ｄは、鉛直線Ｏ−Ｏからの傾斜角度βが第１押圧面４７ｃの傾斜角度αよりも大きくなっている。従って、便蓋４０を本体部２０から取外すときには、フック部４７の延出部４７ｂを押し広げるのに便蓋４０を本体部２０に取付けるときよりも大きな力が必要になる。これにより、便蓋４０は、本体部２０に簡単に取付けることができると共に、簡単に外れない（本体部２０から落ちない）ようになっている。また、便蓋４０を本体部２０から取外すときにも、フック部４７の延出部４７ｂはフックストッパ４６によりそれ以上の開きを規制されるので、フック部４７の変形を抑制できる。従って、フック部４７の寿命を向上させることができる。
【００５６】
次に、便座３０に座った使用者が便蓋４０に凭れかかった場合について説明する。
【００５７】
図４に示すように、便蓋４０は、第２当接部４５が本体部２０の第１当接部２５に当接することにより、それ以上の回動が規制される。すなわち、便蓋４０は、第２当接部４５が第１当接部２５に接触したときが全開角度位置となっている。この状態で使用者が便蓋４０に凭れかかった場合には、便蓋４０には水平方向の力Ｆ１が作用する。この場合、便蓋４０の第１当接部２５には、第２当接部４５からの反力Ｆ２が作用する。
【００５８】
ここで、第１当接部２５の後面２５ａと第２当接部４５の内側面４５ａとは、垂直面となっている。従って、反力Ｆ２は、水平方向に働くことになるので、便蓋４０が不意に外れて本体部２０から落下するのを抑制することができる。すなわち、便蓋４０に作用する反力Ｆ２について上側方向の分力が発生しないように、第１当接部２５の後面２５ａと第２当接部４５の内側面４５ａとを垂直面で形成している。また、フック部４７は、第２押圧面４７ｃが水平方向に近い傾斜面となっているので、回転軸２４がフック部４７の延出部４７ｂを押し広げるのに大きな力が必要となり、便蓋４０が本体部２０から不意に外れるのを抑制している。
【００５９】
また、第１当接部２５と第２当接部４５とは、便蓋取付部２２の回転軸２４と回動部４２のフック部４７とが設けられたヒンジ部の内部に設けられている。これにより、便座装置１０および便蓋４０の外観のデザイン自由度を高めることができる。また、第１当接部２５と第２当接部４５とが接触して大きな力が加わり、塗装が剥がれたり、傷が付いた場合であっても、第１当接部２５と第２当接部４５とがヒンジ部の内部に設けられているので、外観デザインを悪化させることを低減できる。
【００６０】
また、第２当接部４５は、第１当接部２５よりも、剛性の大きい材質で形成されている。第１当接部２５の後面２５ａと第２当接部４５の内側面４５ａとを垂直面に形成することにより、第２当接部４５に働く反力Ｆ２は水平方向成分が便蓋４０に作用する力Ｆ１と同等の大きい力となる。従って、第２当接部４５を剛性の大きな材質とすることで、便蓋４０（第２挿通部４４）が破損するのを抑制することができる。
【００６１】
図１２は、本発明の変形例による回転軸を示す正面図である。
上述した実施形態では、回転軸２４を小判型（楕円型）に形成した場合を例に挙げて説明した。しかし、本発明はこれに限らず、例えば図１２に示す変形例のように、回転軸５０は、フック部４７を係合させる場合に必要とする力が、フック部４７の係合を外す場合に必要とする力よりも小さくなるように、上部５１と下部５２の形状が異なるように形成されていてもよい。
【００６２】
具体的には、回転軸５０の上部５１を下部５２よりも小さく形成することにより、回転軸５０とフック部４７とを係合しやすく、かつ係脱しにくくさせることができる。この場合、回転軸５０の上部５１の湾曲形状を下部５２の湾曲形状より小さく形成することができる。また、回転軸は、上部の幅が小さく、下部の幅が大きく形成された断面台形形状としてもよい。これにより、便蓋４０を本体部２０に取付けるときには、小さな力で楽に取付けることができる。一方、便蓋４０を本体部２０から取外すときには、大きな力でないと外れないようになっている。従って、使用者が便蓋４０に凭れかかった場合においても、便蓋４０が不意に落下することをより確実に抑制できる。
【００６３】
また、上述した実施形態では、第１当接部２５の後面２５ａと第２当接部４５の内側面４５ａとの両方が垂直面に形成されている場合を例に挙げて説明した。しかし、本発明はこれに限らず、例えば第２当接部に便蓋を上側方向に作用する反力が働かなければ、第１当接部２５と第２当接部４５とが垂直面を形成していなくてもよい。また、第１当接部２５の後面２５ａと第２当接部４５の内側面４５ａとのうち、いずれか一方の面が垂直面となっていてもよい。すなわち、例えば第１当接部２５の後面２５ａが垂直面を形成しており、第２当接部が湾曲した突出部として第１当接部２５の後面２５ａに点接触してもよい。
【００６４】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、便座装置１０が備える各要素の形状、寸法、材質、配置などは、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００６５】
１ トイレ装置、２ 便器、２ａ ボウル部、１０ 便座装置、２０ 本体部、２０ａ 上面、 ２０ｂ 側面、２１ 便座取付部、２２ 便蓋取付部、２２ａ 開口部、２２ｂ 底部、２２ｃ 側面部、２３ 規制部材、２３ａ 前後面、２４ 回転軸、２５ 第１当接部、２５ａ 後面、２５ｂ リブ、３０ 便座、４０ 便蓋、４１ 蓋部、４２ 回動部、４２ａ 円弧面、４３ 第１挿通部、４３ａ 下端、４３ｂ 側面、４４ 第２挿通部、４４ａ 切欠き、４４ｂ 出入口、４５ 第２当接部、４５ａ 内側面、４６ フックストッパ、４７ フック部、４７ａ 取付部、４７ｂ 延出部、４７ｃ 第１押圧面、４７ｄ 第２押圧面、４７１ 端部、４８ ねじ、４９ 加飾パネル、５０ 回転軸、５１ 上部、５２ 下部、α 傾斜角度、β 傾斜角度、Ｏ−Ｏ 鉛直線
【図１】
2020103507.tif 000003
【図２】
2020103507.tif 000004
【図３】
2020103507.tif 000005
【図４】
2020103507.tif 000006
【図５】
2020103507.tif 000007
【図６】
2020103507.tif 000008
【図７】
2020103507.tif 000009
【図８】
2020103507.tif 000010
【図９】
2020103507.tif 000011
【図１０】
2020103507.tif 000012
【図１１】
2020103507.tif 000013
【図１２】
2020103507.tif 000014